(57)【要約】【課題】肩ベルト高さ調整機構を軽量かつ簡便に構成できるチャイルドシートを提供すること。【解決手段】チャイルドシート１の肩ベルト高さ調整機構１０は、背もたれ部３の保持ベース部１１に、所定高さで停止可能な合成樹脂製の昇降移動部２９を備えて構成される。昇降移動部は、肩ベルト５を支持するベルト支持孔３２を有したベルト支持材３０が、保持ベース部の前面側に上下動可能に組み付けられるスライド材５０に組み付けられて、保持ベース部の位置決め部２０に係合可能な係合部３５を備える。ベルト支持材は、スライド材に組み付けられた解除操作材７５の操作により、位置決め部への係合部を解除し、スライド材とともに、保持ベース部に対して上下動可能としている。昇降移動部の各部材３０，５０，７５は、ボルト等を使用せずに組み付けられている。【選択図】図４
2020128129.tif 000002
【特許請求の範囲】
【請求項１】
座部と背もたれ部とを備えて構成され、
前記背もたれ部に、左右の肩ベルトを周縁で支持するように前記肩ベルトを挿通させるベルト支持孔を有するとともに、前記ベルト支持孔の配置高さを調整可能な肩ベルト高さ調整機構が、配設されるチャイルドシートであって、
前記肩ベルト高さ調整機構が、
前記ベルト支持孔を設けて構成される昇降移動部と、
前記背もたれ部に配設されて、前記昇降移動部を、所定高さで停止可能として、上下動可能に保持する合成樹脂製の保持ベース部と、
を備え、
前記昇降移動部が、
前記ベルト支持孔を有して、前記保持ベース部の後面側に配設され、前記保持ベース部の後面側の上下方向に沿って並設された位置決め部に係合して、上下移動を規制される合成樹脂製のベルト支持材と、
前記保持ベース部の前面側に上下動可能に組み付けられるとともに、前記ベルト支持孔を挿通する左右の前記肩ベルトを通し可能なベルト用開口を有して、前記ベルト支持材と連結される合成樹脂製のスライド材と、
操作時、前記ベルト支持材の前記係合部における前記位置決め部との係合を解除可能として、前記スライド材に組み付けられる合成樹脂製の解除操作材と、
を備えて構成され、
前記ベルト支持材が、
前記係合部と、
前記保持ベース部側に圧接されて、前記係合部を前記位置決め部側に係合可能に付勢する弾性変形部と、
前記係合部と前記弾性変形部との間に配設されて、前記位置決め部への係合方向と係合解除方向とへの前記係合部の移動を可能とし、かつ、前記スライド材に対する相対的な上下動を規制して、前記スライド材と連結されるように組み付けられる連結組付部と、
を備えて構成され、
前記解除操作材が、
操作時に保持する操作保持部と、
操作時に、係合していた前記位置決め部から前記係合部を離脱可能に、前記ベルト支持材の対応する押圧部位を押圧する押圧部と、
を備えて構成され、
前記ベルト支持材と前記スライド材との組付、前記解除操作材と前記スライド材との組付、及び、前記スライド材と前記保持ベース部との組付が、対応する部位に設けられた組付部位相互を嵌め合わせて、組み付けられていることを特徴とするチャイルドシート。
【請求項２】
前記保持ベース部が、
左右の前記肩ベルトを通し可能として、前後方向に貫通した組付孔を、前記背もたれ部の左右方向の中央付近に、設けるとともに、
前記組付孔の周縁に、前記スライド材を上下方向に沿って移動可能なガイド部を設け、かつ、上下方向に沿って複数の前記位置決め部を並設させて、
配設され、
前記ベルト支持材が、
前記係合部を、上下方向に並設された左右の前記位置決め部に、それぞれ係合可能に、左右両側に配設させて、前記ベルト支持材の上部側で左右方向に延びるように配設された横杆部と、
該横杆部の左右方向の中央付近から下方に延びて、下端に前記保持ベース部への圧接部位を設けて配設される前記弾性変形部としての縦杆部と、
前記横杆部の左右両側付近に、前下方に延びるように配置されて、前記横杆部の前後方向の移動を可能として、前記スライド材に設けられた前記組付部位を構成する嵌合孔に嵌合される嵌合部を設けた前記連結組付部としての張出部と、
を備えるとともに、
前記横杆部が、左右両側に、前記ベルト支持孔を設けて配設され、
前記解除操作材が、上端に、前記操作保持部を配設させ、下端に、前記押圧部を配設させて、前記操作保持部と前記押圧部との間の中間部を、上下動可能に、前記スライド材に設けられた摺動溝に嵌合させて配設され、
前記保持ベース部が、
左右の前記肩ベルトをそれぞれ挿通させて、周縁に前記位置決め部を設けた前記組付孔、を左右に配設させるとともに、
左右の前記組付孔の間に、前記解除操作材の前記押圧部を後方側に移動可能に挿通させる補助組付孔を配設させて、
構成され、
前記摺動溝と前記中間部とが、前記スライド材と前記解除操作材との相互の前記組付部位を構成し、
前記ベルト支持材の前記張出部の前記嵌合部と前記スライド材の前記嵌合孔とが、前記ベルト支持材と前記スライド材との相互の前記組付部位を構成し、
前記保持ベース部の前記ガイド部と、前記スライド材の前記ガイド部に嵌合する被ガイド部とが、前記保持ベース部と前記スライド材との相互の前記組付部位を構成していることを特徴とする請求項１に記載のチャイルドシート。
【請求項３】
前記スライド材の前記嵌合孔が、上縁側に、下方に延びて、前後方向に撓み可能な舌片を配設させ、下縁側に、前方へ突出する係止壁を突設させて、配設され、
前記ベルト支持材の前記張出部の前記嵌合部が、前記張出部における前記横杆部から下方に延びる首部の下端側の先端から後下方向に反転して、前記係止壁を係止し、かつ、内周面側を前記係止壁の上下面に当接可能とした係止フック、を設けて配設されていることを特徴とする請求項２に記載のチャイルドシート。
【請求項４】
前記解除操作材が、
前記操作保持部を引き上げて、前記ベルト支持材の前記押圧部位を押圧可能な前記押圧部を上昇させることにより、前記ベルト支持材の前記横杆部の前記係合部を、係合されていた前記位置決め部から離脱させるように、前記横杆部を後方移動させる構成とするとともに、
引き上げ後の下方への復帰を可能に、前記スライド材における前記操作保持部の収納部位の周壁に圧接されて復帰時の付勢力を発揮可能な撓み片、を設けて配設されていることを特徴とする請求項２若しくは請求項３に記載のチャイルドシート。
【発明の詳細な説明】
【技術分野】
【０００１】
本発明は、チャイルドシートに関し、特に、着座した幼児の左右の肩に装着する肩ベルトの高さを調整可能な肩ベルト高さ調整機構を備えたチャイルドシートに関する。
【背景技術】
【０００２】
従来、肩ベルト高さ調整機構を備えたチャイルドシートでは、左右の肩ベルトを挿通させて支持するベルト支持孔を設けた部材を、上下動させて、所定高さ位置で停止させることにより、左右の肩ベルトの高さ調整を行っていた（例えば、特許文献１参照）。そして、高さ調整機構としては、肩ベルト調整手段（昇降移動部に相当）が、背もたれ部に上下動可能に配設されて、ベルト支持孔を有した上下動可能なスライド材、揺動レバー、及び、操作部材を備えて構成されていた。そして、肩ベルトの高さ調整時には、操作部材を引き上げ操作して、揺動レバーの係止部を、背もたれ部側の係止部から離脱させ、その後、スライド材を所定位置まで上下動させ、ついで、操作部材を復帰させて、揺動レバーの係止部を対応する背もたれ部側の係止部に係止させることにより、スライド材を所定高さで固定していた。このようなスライド材の高さ調整により、スライド材に設けられたベルト支持孔の高さが変わり、ベルト支持孔を挿通する肩ベルトの高さ位置が調整されていた。
【先行技術文献】
【特許文献】
【０００３】
【特許文献１】特開２０１３−２１６２９７号公報
【発明の概要】
【発明が解決しようとする課題】
【０００４】
しかし、従来のチャイルドシートでは、揺動レバーが、剛性を有した揺動軸を設けて、ベルト支持孔を有したスライド材に組み付けられる構成とし、さらに、揺動レバーを揺動させる操作部材も、剛性を有した回動軸を設けて、揺動レバーと連結される構成としていた。そして、これらの揺動軸や回動軸は、合成樹脂製のスライド材、揺動レバー、及び、操作部材、と別体の金属製としており、別途、組み付ける必要が生じていた。さらに、従来のチャイルドシートでは、揺動レバーの係止部がスライド材の係止部に係止するように付勢する金属製のコイルばねも、配設されており、肩ベルト高さ調整機構が、部品点数を多くし、組付工数も多くなり、また、重量も重くなっていた。
【０００５】
本発明は、上述の課題を解決するものであり、肩ベルト高さ調整機構を軽量かつ簡便に構成できるチャイルドシートを提供することを目的とする。
【課題を解決するための手段】
【０００６】
本発明に係るチャイルドシートは、座部と背もたれ部とを備えて構成され、
前記背もたれ部に、左右の肩ベルトを周縁で支持するように前記肩ベルトを挿通させるベルト支持孔を有するとともに、前記ベルト支持孔の配置高さを調整可能な肩ベルト高さ調整機構が、配設されるチャイルドシートであって、
前記肩ベルト高さ調整機構が、
前記ベルト支持孔を設けて構成される昇降移動部と、
前記背もたれ部に配設されて、前記昇降移動部を、所定高さで停止可能として、上下動可能に保持する合成樹脂製の保持ベース部と、
を備え、
前記昇降移動部が、
前記ベルト支持孔を有して、前記保持ベース部の後面側に配設され、前記保持ベース部の後面側の上下方向に沿って並設された位置決め部に係合して、上下移動を規制される合成樹脂製のベルト支持材と、
前記保持ベース部の前面側に上下動可能に組み付けられるとともに、前記ベルト支持孔を挿通する左右の前記肩ベルトを通し可能なベルト用開口を有して、前記ベルト支持材と連結される合成樹脂製のスライド材と、
操作時、前記ベルト支持材の前記係合部における前記位置決め部との係合を解除可能として、前記スライド材に組み付けられる合成樹脂製の解除操作材と、
を備えて構成され、
前記ベルト支持材が、
前記係合部と、
前記保持ベース部側に圧接されて、前記係合部を前記位置決め部側に係合可能に付勢する弾性変形部と、
前記係合部と前記弾性変形部との間に配設されて、前記位置決め部への係合方向と係合解除方向とへの前記係合部の移動を可能とし、かつ、前記スライド材に対する相対的な上下動を規制して、前記スライド材と連結されるように組み付けられる連結組付部と、
を備えて構成され、
前記解除操作材が、
操作時に保持する操作保持部と、
操作時に、係合していた前記位置決め部から前記係合部を離脱可能に、前記ベルト支持材の対応する押圧部位を押圧する押圧部と、
を備えて構成され、
前記ベルト支持材と前記スライド材との組付、前記解除操作材と前記スライド材との組付、及び、前記スライド材と前記保持ベース部との組付が、対応する部位に設けられた組付部位相互を嵌め合わせて、組み付けられていることを特徴とする。
【０００７】
本発明に係るチャイルドシートでは、解除操作材の操作保持部を保持して、押圧部をベルト支持材の押圧部位を押圧するように、解除操作材を操作すると、ベルト支持材の係合部が、係合していた保持ベース部の位置決め部から離脱することから、ベルト支持孔を所定高さに配置させるように、ベルト支持材を、ベルト支持材に連結されたスライド材とともに、上下動させることができ、そして、ベルト支持材を所定高さ位置に配置させた後、解除操作材を復帰させれば、ベルト支持材が、弾性変形部の付勢力を利用して、係合部を、対応する保持ベース部の位置決め部に係合させることとなって、ベルト支持材が、上下動を規制されて位置決めされ、ベルト支持材のベルト支持孔も所定高さ位置で停止されることとなる。そのため、ベルト支持材のベルト支持孔を挿通する左右の肩ベルトの高さ位置が、所定高さに調整されることとなる。そしてまた、再度、肩ベルトの高さ位置を調整する際には、解除操作材の操作保持部を保持して、押圧部をベルト支持材の押圧部位を押圧するように、解除操作材を操作することとなるが、保持ベース部に対して上下動するスライド材とスライド材に保持された解除操作材とが、ベルト支持材とともに、所定高さに一体的に配置できることから、同じ操作により、同様に、高さ調整を行える。また、本発明に係るチャイルドシートでは、ベルト支持材とスライド材との組付、解除操作材とスライド材との組付、及び、スライド材と保持ベース部との組付、が、対応する部位に設けられた組付部位相互を嵌め合わせて、組み付けられており、ボルト等を使用せずに相互を組み付けることができて、簡便に組み付けることができる。さらに、本発明に係るチャイルドシートでは、背もたれ部の保持ベース部に配設される昇降移動部が、それぞれ、一体成形品として構成可能な合成樹脂製としたスライド材、ベルト支持材、及び、解除操作材の３部品から構成されることから、部品点数が少なく、軽量化も図ることができる。
【０００８】
したがって、本発明に係るチャイルドシートは、肩ベルト高さ調整機構を軽量かつ簡便に構成することができる。
【０００９】
そして、本発明に係るチャイルドシートでは、前記保持ベース部が、
左右の前記肩ベルトを通し可能として、前後方向に貫通した組付孔を、前記背もたれ部の左右方向の中央付近に、設けるとともに、
前記組付孔の周縁に、前記スライド材を上下方向に沿って移動可能なガイド部を設け、かつ、上下方向に沿って複数の前記位置決め部を並設させて、
配設され、
前記ベルト支持材が、
前記係合部を、上下方向に並設された左右の前記位置決め部に、それぞれ係合可能に、左右両側に配設させて、前記ベルト支持材の上部側で左右方向に延びるように配設された横杆部と、
該横杆部の左右方向の中央付近から下方に延びて、下端に前記保持ベース部への圧接部位を設けて配設される前記弾性変形部としての縦杆部と、
前記横杆部の左右両側付近に、前下方に延びるように配置されて、前記横杆部の前後方向の移動を可能として、前記スライド材に設けられた前記組付部位を構成する嵌合孔に嵌合される嵌合部を設けた前記連結組付部としての張出部と、
を備えるとともに、
前記横杆部が、左右両側に、前記ベルト支持孔を設けて配設され、
前記解除操作材が、上端に、前記操作保持部を配設させ、下端に、前記押圧部を配設させて、前記操作保持部と前記押圧部との間の中間部を、上下動可能に、前記スライド材に設けられた摺動溝に嵌合させて配設され、
前記保持ベース部が、
左右の前記肩ベルトをそれぞれ挿通させて、周縁に前記位置決め部を設けた前記組付孔、を左右に配設させるとともに、
左右の前記組付孔の間に、前記解除操作材の前記押圧部を後方側に移動可能に挿通させる補助組付孔を配設させて、
構成され、
前記摺動溝と前記中間部とが、前記スライド材と前記解除操作材との相互の前記組付部位を構成し、
前記ベルト支持材の前記張出部の前記嵌合部と前記スライド材の前記嵌合孔とが、前記ベルト支持材と前記スライド材との相互の前記組付部位を構成し、
前記保持ベース部の前記ガイド部と、前記スライド材の前記ガイド部に嵌合する被ガイド部とが、前記保持ベース部と前記スライド材との相互の前記組付部位を構成していることが望ましい。
【００１０】
このような構成では、ベルト支持材が、横杆部の左右両側の係合部を保持ベース部の所定の位置決め部に係合させていれば、上下動しないことから、横杆部の左右両側に配設されたベルト支持孔も上下動しない。そのため、左右の肩ベルトは、所定高さに配置されたベルト支持材のベルト支持孔を挿通して、安定して、調整された所定高さに、配置させることができる。
【００１１】
また、保持ベース部の左右の組付孔の周縁に、上下方向に沿って配設されたガイド部に対し、スライド材の被ガイド部が係合して、保持ベース部に対して、スライド材が上下動する構成であり、スライド材が、保持ベース部の左右両側のガイド部により案内されることから、高さ調整するスライド材を、安定して、上下動させることができて、その後のベルト支持材の係合部を左右両側の対応する位置決め部に係合させる際に、円滑に、係合させることができる。
【００１２】
また、左右両側に係合部や位置決め部が配設されていても、ベルト支持材は、左右両側に配置された連結組付部としての張出部を介して、左右のバランスよく保持ベース部に対して上下動できるスライド材に連結されており、左右のバランスよく、左右方向の中央に配置された縦杆部を撓ませつつ、円滑に、上下動できる。
【００１３】
そしてさらに、本発明に係るチャイルドシートでは、前記スライド材の前記嵌合孔が、上縁側に、下方に延びて、前後方向に撓み可能な舌片を配設させ、下縁側に、前方へ突出する係止壁を突設させて、配設され、
前記ベルト支持材の前記張出部の前記嵌合部が、前記張出部における前記横杆部から下方に延びる首部の下端側の先端から後下方向に反転して、前記係止壁を係止し、かつ、内周面側を前記係止壁の上下面に当接可能とした係止フック、を設けて配設されていることが望ましい。
【００１４】
このような構成では、ベルト支持材の連結組付部としての張出部を、スライド材に組み付ける際、張出部の嵌合部における首部から延びる係止フックを、嵌合孔内に挿入して、嵌合孔の下縁周縁の係止壁に、係止させることとなるが、その嵌合孔の上縁側が、前後方向に撓み可能な舌片を配設させており、舌片を撓ませて、係止フックを、差し込むように、容易に嵌合孔を挿通させて、係止壁に係止させることができる。そして、係止フックが係止壁を係止すれば、係止壁の上下面に係止フックの内周面が当接可能となることから、ベルト支持材のスライド材に対する相対的な上下動が規制されて、係合部を位置決め部に係合させたベルト支持材を介して、スライド材は、保持ベース部に対し、上下動せずに、安定して停止することとなる。なお、係止フックが係止壁を係止すれば、舌片が首部下端付近の上方への移動を規制することから、係止フックは、係止壁からの外れが防止される。
【００１５】
そしてまた、本発明に係るチャイルドシートでは、前記解除操作材が、
前記操作保持部を引き上げて、前記ベルト支持材の前記押圧部位を押圧可能な前記押圧部を上昇させることにより、前記ベルト支持材の前記横杆部の前記係合部を、係合されていた前記位置決め部から離脱させるように、前記横杆部を後方移動させる構成とするとともに、
引き上げ後の下方への復帰を可能に、前記スライド材における前記操作保持部の収納部位の周壁に圧接されて復帰時の付勢力を発揮可能な撓み片、を設けて配設されていることが望ましい。
【００１６】
このような構成では、解除操作材の操作時、操作保持部を引き上げるように操作して、ベルト支持材とともにスライド材を所定高さ位置に配置させた後、単に、操作保持部から手を離せば、撓み片の付勢力により、解除操作材が、押圧部とともに押し下げられて、押圧部がベルト支持材の押圧部位から離脱し、そして、ベルト支持材が、弾性変形部としての縦杆部の弾性変形の復元により、横杆部の係合部を保持ベース部側に移動させることから、係合部を、対応する位置決め部に、円滑に係合させて、簡便に、昇降移動部のベルト支持材とスライド材とを所定高さ位置に配置させることができることとなる。
【図面の簡単な説明】
【００１７】
【図１】本発明に係る一実施形態のチャイルドシートの概略斜視図であり、クッション部分を省いたフレーム部分を示す。
【図２】実施形態のチャイルドシートにおけるフレーム部分の正面図である。
【図３】実施形態のチャイルドシートにおけるフレーム部分の背面図である。
【図４】実施形態のチャイルドシートにおける高さ調整機構を示す概略背面側斜視図である。
【図５】実施形態の高さ調整機構の保持ベース部を示す背面側部分斜視図である。
【図６】実施形態の高さ調整機構の保持ベース部を示す正面側部分斜視図である。
【図７】実施形態の高さ調整機構の昇降移動部を示す正面側分解斜視図である。
【図８】実施形態の高さ調整機構の昇降移動部を示す背面側分解斜視図である。
【図９】実施形態のチャイルドシートの概略部分縦断面図であり、図２のIX−IX部位に対応する。
【図１０】実施形態のチャイルドシートの概略部分縦断面図であり、図２のＸ−Ｘ部位に対応する。
【図１１】実施形態のチャイルドシートにおいて、昇降移動部の高さ位置を調整した後の概略背面側斜視図である。
【図１２】昇降移動部の高さ位置を調整した後の実施形態のチャイルドシートの概略部分縦断面図であり、図９に対応する部位を示す。
【図１３】昇降移動部の高さ位置を調整した後の実施形態のチャイルドシートの概略部分縦断面図であり、図１０に対応する部位を示す。
【発明を実施するための形態】
【００１８】
以下、本発明の一実施形態を図面に基づいて説明すると、実施形態のチャイルドシート１は、自動車の座席に搭載して、幼児を着座させるものであり、図１〜４に示すように、座部２と背もたれ部３とを備えて構成されるとともに、座部２と背もたれ部３とには、一体的に形成された合成樹脂製のフレーム４が配設されて構成されいる。なお、フレーム４の周囲には、図示しないクッションが配設されている。そして、肩ベルト５（Ｌ，Ｒ）は、背もたれ部３の正面（前面）側から背面（後面）側に貫通するように配設され、さらに、背もたれ部３の後面側では、背もたたれ部３の上部側の上方へ延びるように、配設される。
【００１９】
背もたれ部３に配設される肩ベルト高さ調整機構１０は、昇降移動部２９と、昇降移動部２９を所定高さで停止可能として上下動可能に保持する保持ベース部１１と、を備えて構成されている。
【００２０】
保持ベース部１１は、図１〜６，９，１０に示すように、背もたれ部３の部位のフレーム４自体から構成され、ポリプロピレン等の合成樹脂から形成されて、左右の肩ベルト５Ｌ，５Ｒをそれぞれ挿通させる組付孔１３（Ｌ，Ｒ）を配設させている。組付孔１３Ｌ，１３Ｒは、略長方形形状として、前後方向に貫通して、背もたれ部３の左右方向の中央付近の左右両側に配設されている。また、左右の組付孔１３Ｌ，１３Ｒの間の中央付近には、縦長長方形状の補助組付孔１５が前後方向に貫通して配設されている。
【００２１】
保持ベース部１１の後面側における左右の組付孔１３Ｌ，１３Ｒの左右の縁には、後述するベルト支持材３０の係合部３５（Ｌ，Ｒ）を係合させる位置決め部２０を上下方向に沿って並設させている。これら多数の位置決め部２０は、組付孔１３Ｌ，１３Ｒの左右の縁において、後方へ突出する凸部２１を上下方向に沿って、連続的に配設させた高さ調整用段部１９（Ｌ，Ｒ）から構成されている。そして、各位置決め部２０は、上下で隣接する凸部２１，２１間における下方の凸部２１の上面２１ａ側と上方の凸部２１の下面２１ｂ側との間の凹部、から形成されて（図１０参照）、ベルト支持材３０の係合部３５（Ｌ，Ｒ）の突条３６を嵌め込むようにして、ベルト支持材３０の係合部３５（Ｌ，Ｒ）と係合することとなる。
【００２２】
また、左右の組付孔１３Ｌ，１３Ｒにおける相互の接近する内側の縁には、それぞれの組付孔１３Ｌ，１３Ｒの内側に張り出す鍔状のガイド部１７（Ｌ，Ｒ）が、上下方向に沿って、配設されている（図３の断面図参照）。これらのガイド部１７Ｌ，１７Ｒは、昇降移動部２９の後述するスライド材５０の上下動を案内する部位とするとともに、保持ベース部１１におけるスライド材５０を組み付ける組付部位としている。
【００２３】
さらに、保持ベース部１１の後面側における補助組付孔１５の周縁には、鍔部１８が配設されている。鍔部１８の下部側の後面は、昇降移動部２９の後述するベルト支持材３０の弾性変形部としての縦杆部４７の先端４８が圧接される被圧接面１８ａとなり、また、この被圧接面１８ａには、昇降移動部２９が上下動する際には、先端４８が圧接状態を維持して、摺動することとなる。また、補助組付孔１５の左右の周縁の鍔部１８の部位は、後述する解除操作材７５の押圧部８２の前方移動を規制するように、押圧部８２に設けられる支持突起８２ｃを支持するための支持壁１８ｂ、としている。なお、補助組付孔１５の下端には、後述する保持ベース部１１に組み付けたスライド材５０に対し、解除操作材７５を前方側から組み付ける際に、押圧部８２を挿通させるための挿通部１５ａが、形成されている（図５参照）。
【００２４】
昇降移動部２９は、図１〜４，７〜１０に示すように、ポリアセタール等の合成樹脂から一体成形されてなるベルト支持材３０と、ポリプロピレン等の合成樹脂から一体成形されてなるスライド材５０と、ポリアセタール等の合成樹脂から一体成形されてなる解除操作材７５と、から構成されている。
【００２５】
ベルト支持材３０は、肩ベルト５Ｌ，５Ｒを挿通させるベルト支持孔３２（Ｌ，Ｒ）を有して、保持ベース部１１の後面側に配設され、保持ベース部１１の後面側の上下方向に沿って並設された位置決め部２０に係合して、上下移動を規制される。このベルト支持材３０は、既述のベルト支持孔３２（Ｌ，Ｒ）の他、位置決め部２０に係合する係合部３５（Ｌ，Ｒ）と、保持ベース部１１側に圧接されて、係合部３５を位置決め部２０側に係合可能に付勢する弾性変形部（縦杆部）４７と、係合部３５と弾性変形部４７との間に配設されて、位置決め部２０への係合方向（前方）と係合解除方向（後方）とへの係合部３５の移動を可能とし、かつ、スライド材５０に対する相対的な上下動を規制して、スライド材５０と連結されるように組み付けられる連結組付部（張出部）４０（Ｌ，Ｒ）と、を備えて構成されている。
【００２６】
具体的に述べれば、ベルト支持材３０は、上部側に配設されて、左右方向に延びるように配設される横杆部３１と、横杆部３１の左右方向の中央付近から下方に延びるように配設される縦杆部４７と、を備えて構成され、横杆部３１の中央付近における縦杆部４７から左右に離れた縁から斜め前下方向に延びるように、連結組付部としての張出部４０（Ｌ，Ｒ）を突設させて構成されている。
【００２７】
そして、横杆部３１は、左右両側に、左右の肩ベルト５（Ｌ，Ｒ）を支持可能に挿通させるベルト支持孔３２（Ｌ，Ｒ）を、前後方向に貫通するように配設させている。ベルト支持孔３２Ｌ，３１Ｒは、上下の開口幅を、横杆部３１の中央側を広くし、外縁側を小さくして配設されており、そして、内周面３２ａの上側面３２ａａ側が、肩ベルト５（Ｌ，Ｒ）の牽引時の支持面となる。
【００２８】
また、横杆部３１は、左右のベルト支持孔３２（Ｌ，Ｒ）の上方の前縁、すなわち、横杆部３１の左右両側の上縁側における前縁に、前方へ突出して、左右方向に沿って延びる突条３６を配設させている。これらの突条３６が、ベルト支持材３０の係合部３５（Ｌ，Ｒ）を構成している。なお、横杆部３１の左右両端の突条３６の下方には、補助突起３７が前方側へ突設されており、補助突起３７は、突条３６の係合する保持ベース部１１における位置決め部２０の下方側で隣接する位置決め部２０に対して、係合されるものである。
【００２９】
さらに、横杆部３１は、左右方向の中央側の前上縁側に、前方に突出する突条４５を配設させている。この突条４５は、下面４５ａ側を解除操作材７５の後述する押圧部８２に押圧させて、係合していた係合部３５（Ｌ，Ｒ）を位置決め部２０から離脱させるように、横杆部３１を後方移動させるための押圧部位を構成している（図９参照）。
【００３０】
張出部４０（Ｌ，Ｒ）は、縦杆部４７近傍の横杆部３１の左右両側から前下方向に延びる平板状の首部４１を備えるとともに、首部４１の先端４１ａで、前方側に延び、そして、反転するように後方に延びるような係止フック４２、を配設させて構成されている。係止フック４２は、スライド材５０の嵌合孔５８の下縁５８ｂ側に係止させる嵌合部を構成し、具体的には、嵌合孔５８の下縁５８ｂ側の係止壁６０に係止させている（図７，８，１０参照））。この係止により、位置決め部２０への係合方向と係合解除方向とへの係合部３５の移動を可能とし、かつ、スライド材５０に対する相対的な上下動を規制して、ベルト支持材３０は、スライド材５０と連結される。
【００３１】
縦杆部４７は、後膨らみとなるように湾曲しており、組付時、弾性変形して、先端４８を保持ベース部１１の鍔部１８側に圧接させている。そのため、縦杆部４７は、横杆部３１の係合部３５（Ｌ，Ｒ）を、位置決め部２０側に係合可能に、スライド材５０に係止させた係止フック４２を回転中心として、前方回転するように、前方側へ付勢している（図１２，１３参照）。
【００３２】
スライド材５０は、保持ベース部１１の前面側に上下動可能に組み付けられる略長方形板状としている。スライド材５０は、左右両側の下部側に、ベルト支持孔３２（Ｌ，Ｒ）を挿通する左右の肩ベルト５（Ｌ，Ｒ）を通し可能なベルト用開口５１（Ｌ，Ｒ）、を開口させている。また、各ベルト用開口５１（Ｌ，Ｒ）の下方には、張出部４０（Ｌ，Ｒ）の嵌合部としての係止フック４２を嵌合させるための、すなわち、係止フック４２を挿入させて係止するための、ベルト支持材３０との組付部位を形成する嵌合孔５８（Ｌ，Ｒ）が配設されている。
【００３３】
嵌合孔５８（Ｌ，Ｒ）には、上縁５８ａ側に、下方に延びて、前後方向に撓み可能な舌片５９が配設され（図８，１０参照）、下縁５８ｂ側に、前方へ突出する係止壁６０が突設されている。係止壁６０は、ベルト支持材３０の張出部４０（Ｌ，Ｒ）の係止フック４２に係止される。そして、係止壁６０を係止した係止フック４２は、内周面４３の上部４３ａと下部４３ｂとを、係止壁６０の上面６０ａと下面６０ｂとに当接させて、上下動が規制される。また、係止フック４２は、舌片５９を撓ませて嵌合孔５８（Ｌ，Ｒ）に挿入させて係止壁６０を係止した後には、上面４２ａ（図７参照）が舌片５９の下端５９ａに位置規制されることから、係止壁６０から外れるような上方移動が防止されることとなる。
【００３４】
また、スライド材５０は、左右のベルト用開口５１（Ｌ，Ｒ）と嵌合孔５８（Ｌ，Ｒ）との間の左右両側の上下のエリアに、保持ベース部１１のガイド部１７（Ｌ，Ｒ）に組み付けられて、上下動を案内される被ガイド部５２（Ｌ，Ｒ）を配設させている（図３，８参照）。被ガイド部５２（Ｌ，Ｒ）は、前後の前壁部５３と後壁部５４，５５との間に設けられたガイド溝５６から構成されている。保持ベース部１１の鍔状のガイド部１７Ｌ，１７Ｒは、ガイド溝５６に嵌合されるように組み付けられて、スライド材５０の上下動を案内する。なお、ガイド部１７Ｌ，１７Ｒへの被ガイド部５２（Ｌ，Ｒ）の組み付けは、実施形態の場合、ガイド溝５６，５６の上端側をガイド部１７Ｌ，１７Ｒの下端側に嵌めて、スライド材５０を上方へスライドさせて行う。
【００３５】
さらに、スライド材５０は、前面側の左右方向の中央に、解除操作材７５を組み付けるための組付部位を構成する摺動溝６２を上下方向に延びるように配設させている。摺動溝６２は、底壁部６３と、左右の側壁部６４，６４と、を備えて構成され、解除操作材７５の後述する中間部８０を摺動可能に収納するとともに、側壁部６４の前縁に設けられた複数の係止突起６５により、中間部８０の外れを防止している。なお、係止突起６５は、強い力で中間部８０を前方に引っ張れば、撓んで、摺動溝６２から中間部８０を外すことができ、逆に、中間部８０を強い力で摺動溝６２に押し込めば、摺動溝６２に嵌め込んで、スライド材５０に解除操作材７５を組み付けることができる。
【００３６】
また、スライド材５０は、摺動溝６２の下方に、前後方向に貫通する開口６７を配設させている。開口６７は、上部側の中間部８０を前後に移動可能とする摺動溝６２と幅寸法を同等とする上部６７ａと、下部側の解除操作材７５の押圧部８２を前後に移動可能とする幅広の下部６７ｂと、を備えて構成されている。
【００３７】
さらに、摺動溝６２の上方には、解除操作材７５の後述する操作保持部７６を収納する収納部位としての収納凹部６９が、配設されている。収納凹部６９は、スライド材５０の前面側で、摺動溝６２から連なるような略四角形状に凹む凹部を設けて構成されている。すなわち、収納凹部６９は、左右方向に延びる上下の横壁部６９ａ，６９ｂと、上下方向に延びる左右の縦壁部６９ｃ，６９ｄに囲まれて形成され、下部側を、縦壁部６９ｃ，６９ｄ相互を連結する後壁７０により、収納凹部６９の後方を塞がれ、上部側を、縦壁部６９ｃ，６９ｄ相互を連結する前壁７１により、収納凹部６９の前方を塞がれるように、配設されている。
【００３８】
後壁７０の上縁には、解除操作材７５の後述する撓み片７８を支持する周壁を構成するように、前方側に突出しつつ左右方向に延びる中間壁（周壁）７２が配設されている。また、前壁７１の左右側の下縁には、解除操作材７５の後述する操作保持部７６の収納凹部６９からの前方側への外れを防止するように、下方へ延びる係止縁７１ａが配設されている。
【００３９】
解除操作材７５は、操作時、ベルト支持材３０の係合部３５（Ｌ，Ｒ）における位置決め部２０との係合を解除可能として、スライド材５０に組み付けられる。すなわち、解除操作材７５は、操作時に保持する操作保持部７６と、操作時に、係合していた位置決め部２０から係合部３５を離脱可能に、ベルト支持材３０の対応する押圧部位としての突条４５を押圧する押圧部８２と、を備えて構成されている。
【００４０】
具体的には、解除操作材７５は、上端側に操作保持部７６を配設させ、下端側に押圧部８２を配設させ、操作保持部７６と押圧部８２との間の帯状の中間部８０を、スライド材５０の摺動溝６２に摺動可能として摺動溝６２に嵌合するように組み付けられる組付部位、として構成されている。中間部８０は、摺動溝６２の係止突起６５により係止されて、摺動溝６２からの外れを防止されている。
【００４１】
操作保持部７６は、スライド材５０の収納凹部６９内に収納されるように、上下の横枠部７６ａ，７６ｂと左右の縦枠部７６ｃ，７６ｄとを有した略四角環状として、上横枠部７６ａが、上縁に後方側が突出する鍔部７７ａを設けて、操作時に保持する保持部７７を構成している。なお、保持部７７を保持して、操作保持部７６を操作する際には、鍔部７７ａとスライド材５０の収納凹部６９の上横壁部６９ａとを把持して、鍔部７７ａを引き上げるように、操作する（図９参照）。すると、中間部８０を摺動溝６２内を摺動させて、押圧部８２を上昇移動させることができる。
【００４２】
また、操作保持部７６には、引き上げ後の下方への復帰を可能に、撓み片７８が配設されている。撓み片７８は、下横枠部７６ｂの上面側から二又状に延びて収納凹部６９の周壁としての中間壁７２の下面に圧接されるヒレ部７８ａを設けて構成される。この撓み片７８は、操作保持部７６を引き上げ操作した際、ヒレ部７８ａが図８の二点鎖線に示すように撓んで、中間壁７２への圧接状態が強まり、操作保持部７６から手を離せば、撓み片７８の付勢力により、操作保持部７６の下横枠部７６ｂを収納凹部６９の下横壁部６９ｂに接触する初期状態に復帰させることとなる。
【００４３】
押圧部８２は、中間部８０の下端で、後方に突出する略三角板状の板部８２ａを左右に並設させるとともに、板部８２ａ相互を連結板８２ｂにより連結させて、後面の上面側の押圧面８３を斜め下後方向に突出させるように、構成されている。押圧部８２は、操作保持部７６の引き上げ操作時、ベルト支持材３０の押圧部位としての突条４５の下面４５ａを押圧面８３が押し上げることにより（図９の二点鎖線参照）、ベルト支持材３０の横杆部３１の係合部３５を、係合されていた位置決め部２０から離脱させるように、横杆部３１を後方移動させることとなる（図１０の二点鎖線参照）。
【００４４】
なお、押圧部８２には、板部８２ａ，８２ａの外側面に、Ｌ字状の支持突起８２ｃが突設されており、突条４５の下面を押圧面８３が押し上げても、支持突起８２ｃ，８２ｃが、保持ベース部１１の補助組付孔１５の周縁の支持壁１８ｂに支持されて、押圧部８２自体は、前方移動せず、安定して、突条４５を押圧移動させることができる。
【００４５】
そして、実施形態のチャイルドシート１では、解除操作材７５の操作保持部７６の保持部７７を保持して、押圧部８２をベルト支持材３０の押圧部位としての突条４５を押圧するように、解除操作材７５を引き上げ操作すると、図９の二点鎖線に示すように、押圧部８２の押圧面８３が突条４５の下面４５ａを押し上げて、ベルト支持材３０が、弾性変形部としての縦杆部４７を撓ませて、スライド材５０の嵌合孔５８の周縁に係止させていた張出部４０の係止フック４２付近を回動中心として、横杆部３１を後方移動させることとなって、係合部３５（Ｌ，Ｒ）が、係合していた保持ベース部１１の位置決め部２０から離脱することから（図１０の二点鎖線参照）、ベルト支持孔３２を所定高さに配置させるように、ベルト支持材３０を、ベルト支持材３０に連結されたスライド材５０とともに、上下動させることができる。そして、図１１，１２，１３に示すように、ベルト支持材３０を所定高さ位置に配置させた後、解除操作材７５を復帰させれば、ベルト支持材３０が、弾性変形部としての縦杆部４７の付勢力を利用して、係合部３５（Ｌ，Ｒ）を対応する保持ベース部１１の位置決め部２０に係合させることとなって、ベルト支持材３０が、上下動を規制されて位置決めされ、ベルト支持材３０のベルト支持孔３２（Ｌ，Ｒ）も所定高さ位置で停止されることとなる。そのため、ベルト支持材３０のベルト支持孔３２（Ｌ，Ｒ）を挿通する左右の肩ベルト５（Ｌ，Ｒ）の高さ位置が、所定高さに調整されることとなる（図４，１１参照）。そしてまた、再度、肩ベルト５（Ｌ，Ｒ）の高さ位置を調整する際には、解除操作材７５の操作保持部７６を保持して、押圧部８２をベルト支持材３０の押圧部位としての突条４５を押圧するように、解除操作材７５を操作することとなるが、保持ベース部１１に対して上下動するスライド材５０とスライド材５０に保持された解除操作材７５とが、ベルト支持材３０とともに、所定高さに一体的に配置できることから（図９，１０，１２，１３参照）、同じ操作により、同様に、高さ調整を行える。
【００４６】
また、実施形態のチャイルドシート１では、ベルト支持材３０とスライド材５０との組付、解除操作材７５とスライド材５０との組付、及び、スライド材５０と保持ベース部１１との組付、が、対応する部位に設けられた組付部位相互を嵌め合わせて、組み付けられており、ボルト等を使用せずに相互を組み付けることができて、簡便に組み付けることができる。すなわち、ベルト支持材３０とスライド材５０との組付は、ベルト支持材３０の組付部位（連結組付部）としての張出部４０（Ｌ，Ｒ）の係止フック４２を、舌片５９を撓ませつつ、スライド材５０の組付部位としての嵌合孔５８（Ｌ，Ｒ）に挿入させ、そして、周縁の係止壁６０に係止させるように、嵌合孔５８（Ｌ，Ｒ）に嵌め込めば、スライド材５０にベルト支持材３０を組み付けることができる。解除操作材７５とスライド材５０との組付は、保持部７７の係止縁７１ａとの干渉を防止するように、下方から上方へスライドさせつつ、解除操作材７５の組付部位としての中間部８０を、スライド材５０の組付部位としての摺動溝６２に嵌め込めば、摺動溝６２の係止突起６５により中間部８０が係止されて、スライド材５０に解除操作材７５を組み付けることができる。スライド材５０と保持ベース部１１との組付は、保持ベース部１１の組付部位としての鍔状のガイド部１７（Ｌ，Ｒ）に対し、下方から、スライド材５０の組付部位としてのガイド溝５６からなる被ガイド部５２（Ｌ，Ｒ）の上端側を、上方移動させて、ガイド部１７（Ｌ，Ｒ）を被ガイド部５２（Ｌ，Ｒ）に差し込むように、嵌め込めば、保持ベース部１１にスライド材５０を組み付けることができる。
【００４７】
なお、昇降移動部２９の保持ベース部１１への組付手順は、実施形態の場合、スライド材５０を保持ベース部１１に組み付け、ついで、スライド材５０にベルト支持材３０を組み付け、その後、スライド材５０に解除操作材７５を組み付けることとなる。
【００４８】
さらに、実施形態のチャイルドシート１では、背もたれ部３の保持ベース部１１に配設される昇降移動部２９が、それぞれ、一体成形品とした合成樹脂製のスライド材５０、ベルト支持材３０、及び、解除操作材７５の３部品から構成されることから、部品点数が少なく、軽量化も図ることができる。
【００４９】
したがって、実施形態のチャイルドシート１は、肩ベルト高さ調整機構１０を軽量かつ簡便に構成することができる。
【００５０】
そして、実施形態のチャイルドシート１では、保持ベース部１１が、左右の肩ベルト５（Ｌ，Ｒ）を通し可能として、前後方向に貫通した組付孔１３（Ｌ，Ｒ）を、背もたれ部３の左右方向の中央付近に、設けるとともに、組付孔１３（Ｌ，Ｒ）の周縁に、スライド材５０を上下方向に沿って移動可能なガイド部１７（Ｌ，Ｒ）を設け、かつ、上下方向に沿って複数の位置決め部２０を並設させて、配設されている。また、ベルト支持材３０が、係合部３５（Ｌ，Ｒ）を、上下方向に並設された左右の位置決め部２０に、それぞれ係合可能に、左右両側に配設させて、ベルト支持材３０の上部側で左右方向に延びるように配設された横杆部３１と、横杆部３１の左右方向の中央付近から下方に延びて、下端に保持ベース部１１への圧接部位を設けて配設される弾性変形部としての縦杆部４７と、横杆部３１の左右両側付近に、前下方に延びるように配置されて、横杆部３１の前後方向の移動を可能として、スライド材５０に設けられた組付部位を構成する嵌合孔５８（Ｌ，Ｒ）に嵌合される嵌合部としての係止フック４２を設けた連結組付部としての張出部４０と、を備えて構成されている。また、横杆部３１は、左右両側に、ベルト支持孔３２（Ｌ，Ｒ）を設けて配設され、解除操作材７５は、上端に、操作保持部７６を配設させ、下端に、押圧部８２を配設させて、操作保持部７６と押圧部８２との間の中間部８０を、上下動可能に、スライド材５０に設けられた摺動溝６２に嵌合させて配設されている。さらに、保持ベース部１１が、左右の肩ベルト５（Ｌ，Ｒ）をそれぞれ挿通させて、周縁に位置決め部２０を設けた組付孔１３（Ｌ，Ｒ）、を左右に配設させるとともに、左右の組付孔１３（Ｌ，Ｒ）の間に、解除操作材７５の押圧部８２を後方側に移動可能に挿通させる補助組付孔１５を配設させて、構成されている。そして、摺動溝６２と中間部８０とが、スライド材５０と解除操作材７５との相互の組付部位を構成し、ベルト支持材３０の張出部４０（Ｌ，Ｒ）の嵌合部（係止フック）４２とスライド材５０の嵌合孔５８とが、ベルト支持材３０とスライド材５０との相互の組付部位を構成し、さらに、保持ベース部１１のガイド部１７（Ｌ，Ｒ）と、スライド材５０のガイド部１７（Ｌ．Ｒ）に嵌合する被ガイド部５２（Ｌ，Ｒ）とが、保持ベース部１１とスライド材５０との相互の組付部位を構成している。
【００５１】
そのため、実施形態では、以下のような作用・効果を得ることができる。
【００５２】
すなわち、上記のような構成では、ベルト支持材３０が、横杆部３１の左右両側の係合部３５（Ｌ，Ｒ）を保持ベース部１１の所定の位置決め部２０に係合させていれば、上下動しないことから、横杆部３１の左右両側に配設されたベルト支持孔３２（Ｌ，Ｒ）も上下動しない。そのため、左右の肩ベルト５（Ｌ，Ｒ）は、所定高さに配置されたベルト支持材３０のベルト支持孔３２（Ｌ，Ｒ）を挿通して、安定して、調整された所定高さに、配置させることができる。
【００５３】
また、保持ベース部１１の左右の組付孔１３（Ｌ，Ｒ）の周縁に、上下方向に沿って配設されたガイド部１７（Ｌ，Ｒ）に対し、スライド材５０の被ガイド部５２（Ｌ，Ｒ）が係合して、保持ベース部１１に対して、スライド材５０が上下動する構成であり、スライド材５０が、保持ベース部１１の左右両側のガイド部１７（Ｌ，Ｒ）により案内されることから、高さ調整するスライド材５０を、安定して、上下動させることができて、その後のベルト支持材３０の係合部３５（Ｌ，Ｒ）を左右両側の対応する位置決め部２０に係合させる際に、円滑に、係合させることができる。
【００５４】
また、左右両側に係合部３５や位置決め部２０が配設されていても、ベルト支持材３０は、左右両側に配置された連結組付部としての張出部４０（Ｌ．Ｒ）を介して、左右のバランスよく保持ベース部１１に対して上下動できるスライド材５０に連結されており、左右のバランスよく、左右方向の中央に配置された縦杆部４７を撓ませつつ、円滑に、上下動できる。
【００５５】
そしてさらに、実施形態のチャイルドシート１では、スライド材５０の嵌合孔５８（Ｌ，Ｒ）が、上縁５８ａ側に、下方に延びて、前後方向に撓み可能な舌片５９を配設させ、下縁５８ｂ側に、前方へ突出する係止壁６０を突設させて、配設されている。そして、ベルト支持材３０の張出部４０（Ｌ，Ｒ）の嵌合部が、張出部４０（Ｌ，Ｒ）における横杆部３１から下方に延びる首部４１の下端側の先端４１ａから後下方向に反転して、係止壁６０を係止し、かつ、内周面４３側を係止壁６０の上面６０ａと下面６０ｂとに当接可能とした係止フック４２、を設けて配設されている。
【００５６】
そのため、実施形態では、ベルト支持材３０の連結組付部としての張出部４０（Ｌ，Ｒ）を、スライド材５０に組み付ける際、張出部４０（Ｌ，Ｒ）の嵌合部における首部４１から延びる係止フック４２を、嵌合孔５８（Ｌ，Ｒ）内に挿入して、嵌合孔５８（Ｌ，Ｒ）の下縁５８ｂ周縁の係止壁６０に、係止させることとなるが、その嵌合孔５８の上縁５８ａ側が、前後方向に撓み可能な舌片５９を配設させており、舌片５９を撓ませて、係止フック４２を、差し込むように、容易に嵌合孔５８を挿通させて、係止壁６０に係止させることができる。そして、係止フック４２が係止壁６０を係止すれば、係止壁６０の上面６０ａと下面６０ｂとに係止フック４２の内周面４３の上部４３ａと下部４３ｂとが当接可能となることから、ベルト支持材３０のスライド材５０に対する相対的な上下動が規制されて、係合部３５（Ｌ，Ｒ）を位置決め部２０に係合させたベルト支持材３０を介して、スライド材５０は、保持ベース部１１に対し、上下動せずに、安定して停止することとなる。なお、係止フック４２が係止壁６０を係止すれば、舌片５９が、首部４１の下端（先端）４１ａ付近、すなわち、係止フック４２の上面４２ａを位置規制して、係止フック４２の上方への移動を規制することから、係止フック４２は、係止壁６０からの外れが防止される。
【００５７】
そしてまた、実施形態のチャイルドシート１では、解除操作材７５が、操作保持部７６を引き上げて、ベルト支持材３０の押圧部位（突条）４５を押圧可能な押圧部８２を上昇させることにより、ベルト支持材３０の横杆部３１の係合部３５（Ｌ，Ｒ）を、係合されていた位置決め部２０から離脱させるように、横杆部３１を後方移動させる構成としている。そして、解除操作材７５は、引き上げ後の下方への復帰を可能に、スライド材５０における操作保持部７６の収納部位（収納凹部）６９の周壁（中間壁）７２に圧接されて復帰時の付勢力を発揮可能な撓み片７８、を設けて配設されている。
【００５８】
そのため、実施形態では、解除操作材７５の操作時、操作保持部７６を引き上げるように操作して、ベルト支持材３０とともにスライド材５０を所定高さ位置に配置させた後、単に、操作保持部７６から手を離せば、撓み片７８の付勢力により、解除操作材７５が、押圧部８２とともに押し下げられて、押圧部８２がベルト支持材３０の押圧部位（突条）４５から離脱し、そして、ベルト支持材３０が、弾性変形部としての縦杆部４７の弾性変形の復元により、横杆部３１の係合部３５（Ｌ，Ｒ）を保持ベース部１１側に移動させることから、係合部３５（Ｌ，Ｒ）を、対応する位置決め部２０に、円滑に係合させて、簡便に、昇降移動部２９のベルト支持材３０とスライド材５０とを所定高さ位置に配置させることができることとなる。
【符号の説明】
【００５９】
１…チャイルドシート、２…座部、３…背もたれ部、５（Ｌ，Ｒ）…肩ベルト、
１０…肩ベルト高さ調整機構、
１１…保持ベース部、１３（Ｌ，Ｒ）…組付孔、１５…補助組付孔、１７（Ｌ，Ｒ）…（組付部位）ガイド部、２０…位置決め部、
２９…昇降移動部、
３０…ベルト支持材、３１…横杆部、３２（Ｌ，Ｒ）…ベルト支持孔、３５（Ｌ，Ｒ）…係合部、４０（Ｌ，Ｒ）…（組付部位・連結組付部）張出部、４１…首部、４２…（嵌合部）係止フック、４３…内周面、４５…（押圧部位）突条、４７…（弾性変形部）縦杆部、
５０…スライド材、５１（Ｌ，Ｒ）…ベルト用開口、５２（Ｌ，Ｒ）…（組付部位）被ガイド部、５８（Ｌ，Ｒ）…（組付部位）嵌合孔、５９…舌片、６０…係止壁、６２…（組付部位）摺動溝、６７…開口、６９…（収納部位）収納凹部、７２…（周壁）中間壁、
７５…解除操作材、７６…操作保持部、７８…撓み片、８０…（組付部位）中間部、８２…押圧部。
【図１】
2020128129.tif 000003
【図２】
2020128129.tif 000004
【図３】
2020128129.tif 000005
【図４】
2020128129.tif 000006
【図５】
2020128129.tif 000007
【図６】
2020128129.tif 000008
【図７】
2020128129.tif 000009
【図８】
2020128129.tif 000010
【図９】
2020128129.tif 000011
【図１０】
2020128129.tif 000012
【図１１】
2020128129.tif 000013
【図１２】
2020128129.tif 000014
【図１３】
2020128129.tif 000015